(57)【要約】【課題】簡単に、装置本体の設定を設置場所に適した設定にすることができるプロジェクターを提供する。【解決手段】プロジェクター１が設置されている位置情報を取得するＧＰＳ受信機１７と、位置情報と、プロジェクター１の設置位置における設定情報と、を関連付けて記憶する記憶手段２４ａと、セットアップ時に、位置情報が記憶手段に記憶されているか否かを判断する判断手段と、判断手段により位置情報が記憶手段２４ａに記憶されていると判断した場合は、位置情報に関連付けられた設定情報を用いてセットアップを行うセットアップ手段と、を備える。【選択図】図２
2010243845.tif 000002
【特許請求の範囲】
【請求項１】
プロジェクターが設置されている位置情報を取得するＧＰＳ受信機と、
前記位置情報と、前記プロジェクターの設置位置における設定情報と、を関連付けて記憶する記憶手段と、
前記位置情報に関連付けられた前記設定情報を用いてセットアップを行うセットアップ手段と、を備えたことを特徴とするプロジェクター。
【請求項２】
前記セットアップ時に、前記位置情報が前記記憶手段に記憶されているか否かを判断する判断手段を、さらに備え、
前記判断手段が、前記位置情報が前記記憶手段に記憶されていると判断した場合は、前記セットアップ手段は、前記記憶手段に記憶されている前記位置情報に関連付けられた前記設定情報を用いてセットアップを行うことを特徴とする請求項１に記載のプロジェクター。
【請求項３】
前記判断手段は、前記位置情報が前記記憶手段に記憶されていないと判断した場合は、さらに補正可能な複数の位置情報が、前記記憶手段に記憶されているか否かを判断し、
前記補正可能な複数の位置情報が前記記憶手段に記憶されていると判断した場合は、前記セットアップ手段は、前記複数の位置情報に関連付けられた前記設定情報を用いて補正設定情報を算出しセットアップを行うことを特徴とする請求項２に記載のプロジェクター。
【請求項４】
前記記憶手段は、前記位置情報と前記補正設定情報とを関連付けて、さらに記憶することを特徴とする請求項３に記載のプロジェクター。
【請求項５】
ユーザーに報知する報知手段を、さらに備え、
前記判断手段が、前記補正可能な複数の位置情報が前記記憶手段に記憶されていないと判断した場合は、前記報知手段は、ユーザー自身がセットアップを実行するよう報知することを特徴とする請求項３に記載のプロジェクター。
【請求項６】
前記プロジェクターを設置することができる設置領域を記憶する設置領域記憶手段と、
前記プロジェクターの現在位置が、前記設置領域内に含まれるか否かを判断する位置判断手段と、
前記位置判断手段が、前記現在位置が前記設置領域外であると判断した場合、前記プロジェクターの現在位置を送信する送信手段と、をさらに備えたことを特徴とする請求項１ないし５のいずれか１項に記載のプロジェクター。
【発明の詳細な説明】
【技術分野】
【０００１】
本発明は、スクリーンに画像を投写するプロジェクターに関するものである。
【背景技術】
【０００２】
従来、会議室などでスクリーンに対して画像を投写しながらプレゼンテーションなど行うことができるプロジェクターが知られている。このプロジェクターは、投写レンズを平行移動して光軸を移動させるレンズシフト手段と、投写レンズのフォーカス調整を行う電動フォーカス手段と、投写レンズのズーム調整を行う電動ズーム手段と、プロジェクターの傾き及び投写光の投写方向を設定する投写方向／傾き設定手段と、スクリーンとプロジェクターの相対位置情報を検出する相対位置検出手段と、を備えている。相対位置検出手段は、プロジェクター側およびスクリーン側に配置された交信機により、これらの相対位置／距離を検出する。そして、この検出結果に基づき、レンズシフト手段、電動フォーカス手段、電動ズーム手段、投写方向／傾き設定手段を制御し、投写画像の有効領域をスクリーンの有効領域に近づける。さらに、上記制御を行っても投写画像に台形歪みが残る場合には、投写画像の台形歪補正を行う。これにより、高品質の画像をスクリーンに投影する（例えば、特許文献１参照）。
【先行技術文献】
【特許文献】
【０００３】
【特許文献１】特開２００４−３４１０２９号公報
【発明の概要】
【発明が解決しようとする課題】
【０００４】
ところで、上述のプロジェクターでは、設置位置が変わると、当該設置位置に基づいて（設置位置を基準として）投写対象となる画像の補正（フォーカス調整、ズーム調整や台形歪補正等）を自動で行う。しかしながら、この自動補正のみで画像を完璧に補正することは難しく、最終的にはプロジェクターの操作者がこれら補正の微調整を行わなければならない。このため、設置位置が変わる度に、操作者が画像の補正をしなければならず、手間がかかるという問題がある。
【０００５】
本発明は、上記の問題に鑑み、簡単に、装置本体の設定を設置場所に適した設定にすることができるプロジェクターを提供することを目的とする。
【課題を解決するための手段】
【０００６】
本発明のプロジェクターは、プロジェクターが設置されている位置情報を取得するＧＰＳ受信機と、位置情報と、プロジェクターの設置位置における設定情報と、を関連付けて記憶する記憶手段と、位置情報に関連付けられた設定情報を用いてセットアップを行うセットアップ手段と、を備えたことを特徴とする。
【０００７】
また、本発明のプロジェクターにおいて、セットアップ時に、位置情報が記憶手段に記憶されているか否かを判断する判断手段を、さらに備え、判断手段が、位置情報が記憶手段に記憶されていると判断した場合は、セットアップ手段は、記憶手段に記憶されている位置情報に関連付けられた設定情報を用いてセットアップを行うことが好ましい。
【０００８】
これらの構成によれば、プロジェクターのセットアップに際し、当該プロジェクターのセットアップ位置（設置位置）に関連付けられた設定情報に基づいて、自動的にプロジェクターのセットアップを行うことができる。つまり、一度、任意の位置でプロジェクターの設定を行い、その位置情報および設定情報を記憶しておけば、次回、同じ位置にプロジェクターを設置した場合には、ユーザーの手を煩わすことなく、自動的にプロジェクターを適切な設定にセットアップすることができる。これにより、プロジェクターのセットアップを簡単に行うことができ、これに掛かる手間を省くことができる。
なお、位置情報としては、プロジェクターの設置位置の緯度、経度および高度（Ｘ座標、Ｙ座標、およびＺ座標、並びに傾き）が考えられる。また、設定情報としては、当該設置位置での台形歪補正量、フォーカス調整量（フォーカス量）、ズーム調整量（ズーム量）などが考えられる。
【０００９】
本発明のプロジェクターにおいて、判断手段は、位置情報が記憶手段に記憶されていないと判断した場合は、さらに補正可能な複数の位置情報が、記憶手段に記憶されているか否かを判断し、補正可能な複数の位置情報が記憶手段に記憶されていると判断した場合は、セットアップ手段は、複数の位置情報に関連付けられた設定情報を用いて補正設定情報を算出しセットアップを行うことが好ましい。
【００１０】
この構成によれば、プロジェクターのセットアップ位置が、記憶した位置情報と完全に一致しない場合でも、簡単にプロジェクターのセットアップを行うことができる。
【００１１】
本発明のプロジェクターにおいて、記憶手段は、位置情報と補正設定情報とを関連付けて、さらに記憶することが好ましい。
【００１２】
この構成によれば、プロジェクターが補正設定情報に基づいてセットアップされた場合、そのセットアップ位置の位置情報と、補正設定情報（結果的に、その位置の設定情報）とを関連付けて記憶する。つまり、位置情報およびこれに対応する設定情報を蓄積（学習）することができるため、プロジェクターのセットアップを自動的に行う確率を高めることができる。
【００１３】
本発明のプロジェクターにおいて、ユーザーに報知する報知手段を、さらに備え、判断手段が、補正可能な複数の位置情報が記憶手段に記憶されていないと判断した場合は、報知手段は、ユーザー自身がセットアップを実行するように報知することが好ましい。
【００１４】
この構成によれば、記憶した情報に基づくセットアップができない場合、ユーザーによる手動セットアップが必要である旨を報知する。これにより、ユーザーは、セットアップが自動で行われなかったため、自身が手動でセットアップをしなければならないことを容易に把握することができる。
【００１５】
本発明のプロジェクターにおいて、プロジェクターを設置することができる設置領域を記憶する設置領域記憶手段と、プロジェクターの現在位置が、設置領域内に含まれるか否かを判断する位置判断手段と、位置判断手段が、現在位置が設置領域外であると判断した場合、プロジェクターの現在位置を送信する送信手段と、をさらに備えたことが好ましい。
【００１６】
この構成によれば、例えば、プロジェクターが設置領域外に出た場合、プロジェクターが自身の現在位置（位置情報）をプロジェクターの管理者や監視センターなどに送信することで、プロジェクターの盗難を防止することができる。
【図面の簡単な説明】
【００１７】
【図１】本発明の一実施形態に係るプロジェクターの制御構成を示すブロック図である。
【図２】プロジェクターのセットアップ処理手順について説明するフローチャートである。
【図３】位置情報を外部端末に送信する手順について説明するフローチャートである。
【発明を実施するための形態】
【００１８】
以下、添付した図面を参照して、本発明の一実施形態に係るプロジェクターについて説明する。本実施形態のプロジェクターは、簡単に、装置本体の各種設定を設置場所に適した設定にセットアップすることができるものである。
【００１９】
図１は、プロジェクター１の制御構成を示すブロック図である。同図に示すように、プロジェクター１は、信号取得部１１、映像信号処理部１２、フォーカス制御部１３、ズーム制御部１４、操作部１５、リモコン受光器１６、ＧＰＳ受信機１７、無線通信部１８、投写光学部１９、および制御部２０を備えている。
【００２０】
信号取得部１１は、パーソナルコンピューターやビデオレコーダー等の外部機器（図示省略）から画像データを取得する。なお、外部機器ではなく、外部記憶媒体（ＵＳＢメモリーやコンパクトフラッシュ（登録商標）等）から画像データ等を取得するようにしても良い。
【００２１】
映像信号処理部１２は、信号取得部１１が取得した画像データに対し、後述のＲＯＭ２２内の画像処理プログラムに基づいて、所定の画像処理を実行する。所定の画像処理としては、台形歪補正処理、画質調整処理、画像サイズ調整処理、ガンマ補正処理等が含まれる。
【００２２】
フォーカス制御部１３は、後述する操作部１５からのボタン操作に応じた操作信号に基づいて、投写光学部１９のフォーカス機構を構成するフォーカスレンズを光軸方向に移動させることにより、フォーカス状態を調整する。また、フォーカス制御部１３は、フォーカスレンズの移動量、つまりフォーカス量を検知することも可能であり、検知したフォーカス量を制御部２０に出力することができる。
【００２３】
ズーム制御部１４は、後述する操作部１５からのボタン操作に応じた操作信号に基づいて、投写光学部１９のズーム機構を構成するズームレンズを光軸方向に移動させて焦点距離を変更することにより、スクリーンＳＣ上に表示される画像（映像）の拡大率を変更する。また、ズーム制御部１４は、ズームレンズの移動量、つまりズーム量を検知することも可能であり、検知したズーム量を制御部２０に出力する。
【００２４】
操作部１５は、プロジェクター１本体に設けられ、各種操作を行うためのボタン群を有している。ボタン群には、電源のオン／オフを切り替えるための電源ボタン、縦横台形歪の補正を行うための台形歪補正ボタン、フォーカス調整を行うためのフォーカスボタン、ズーム調整を行うためのズームボタンが含まれる。ユーザーは、これら操作ボタンを操作することで、プロジェクター１の各種設定（調整）を行うことができる。
【００２５】
リモコン受光器１６は、ユーザーによって操作されるリモコン４１からの操作信号を受光する。リモコン４１は、プロジェクター１本体を遠隔操作するためのものであり、操作部１５による操作と同様の操作を行うための各種ボタン群を有している。
【００２６】
ＧＰＳ受信機１７は、アンテナ２５を介して、ＧＰＳ衛星（図示省略）から発信されるＧＰＳ信号を受信するものである。このＧＰＳ受信機１７は、プロジェクター１本体の投写面側の両端に配置され、それぞれのＧＰＳ受信機１７でＧＰＳ信号を受信する。そして、制御部２０は、これら２つのＧＰＳ受信機１７で受信したＧＰＳ信号に基づいて、プロジェクター１の設置位置を示す位置情報（緯度、経度および高度）を取得する。
【００２７】
無線通信部１８は、ユーザーが所持する携帯情報端末や第三者機関が運営する監視センターに設置されたサーバー等の外部端末５１と無線通信を行う通信手段として機能する。制御部２０は、ＧＰＳ信号に基づいて取得した位置情報が、予め設定されたプロジェクター１を設置することができる領域（以下、「有効設置領域」と称す。）から外れた位置にある場合（プロジェクター１が有効設置領域外に存在する場合）、無線通信部１８を介して当該位置情報、つまりプロジェクターの現在位置を外部端末５１に送信する。これにより、プロジェクター１が盗難にあった場合でも、プロジェクター１の位置を即時に把握することができる。つまり、盗難防止機能として利用することができる。
【００２８】
投写光学部１９は、スクリーンＳＣ上に、画像を投写するためのものであり、光源ランプ３１、液晶ライトバルブ３２、投写レンズ３３、ランプ駆動部３４およびライトバルブ駆動部３５を有している。
【００２９】
光源ランプ３１としては、ハロゲンランプ、メタルハライドランプまたは高圧水銀ランプを適用可能である。また、光源ランプ３１に代えて、レーザーやＬＥＤなどの固体光源を用いても良い。液晶ライトバルブ３２は、一対の透明基板間に液晶が封入された液晶パネル等によって構成され、各透明基板の内面には、液晶に対して微小領域毎に駆動電圧を印加可能な透明電極が、画素としてマトリクス状に形成されている。ランプ駆動部３４は、制御部２０からの点灯指令に基づいて、光源ランプ３１を点灯させる。ライトバルブ駆動部３５は、液晶ライトバルブ３２の各画素に、画像データに応じた駆動電圧を印加することにより、各画素の光透過率を設定する。
【００３０】
上記の構成により、投写光学部１９では、光源ランプ３１から射出された照明光が、液晶ライトバルブ３２を透過することによって変調される。また、変調された画像光は、不図示の光合成光学系（ダイクロイックプリズムなど）により画素毎に合成され、投写レンズ３３によってスクリーンＳＣ上に投写される。
【００３１】
制御部２０は、ＣＰＵ（Central Processing Unit）２１、ＲＯＭ（Read Only Memory）２２、ＲＡＭ（Random Access Memory）２３およびフラッシュＲＯＭ２４を有している。ＣＰＵ２１は、各種演算処理を行う中央処理装置であり、バス２６を介して各部との信号の入出力を行うことによりプロジェクター１を統括制御する。本実施形態では、特にプロジェクター１を起動した際に実行される各種設定処理（台形歪補正処理、フォーカス調整処理、ズーム調整処理等。以下、まとめて「セットアップ処理」と称す。）に関する制御を行う。
【００３２】
ＲＯＭ２２は、ＣＰＵ２１が各種演算処理を行うために用いられる制御プログラムおよび制御データを記憶している。当該制御プログラムには、上述の映像信号処理部１２において用いられる画像処理プログラムが含まれる。また、ＲＯＭ２２には、基本ソフトウェアであるＯＳ（Operating System）も記憶されている。ＲＡＭ２３は、ＣＰＵ２１が各種演算処理を行う際の作業領域として用いられる。
【００３３】
フラッシュＲＯＭ２４は、セットアップデータ記憶部２４ａ（記憶手段）および設置領域記憶部２４ｂ（設置領域記憶手段）を有している。セットアップデータ記憶部２４ａは、セットアップデータとして、プロジェクター１の設置位置を示す位置情報と、当該設置位置において正常な画像投写を行うための設定情報（台形歪補正量、フォーカス量、ズーム量等）と、を関連付けて記憶する。このセットアップデータは、プロジェクター１の電源投入後のセットアップ処理で使用される。一方、設置領域記憶部２４ｂは、プロジェクター１の有効設置領域を記憶する。
【００３４】
以上の構成により、プロジェクター１は、セットアップ処理に際し、自身の設置位置を示す位置情報を取得し、この位置情報に対応したセットアップデータを用いてセットアップを行う。また、プロジェクター１は、自身の現在位置が有効設置領域外である場合、当該現在位置を示す位置情報を外部端末５１に送信する処理を行う。以下、図２および図３を参照して、これら各処理について詳細に説明する。
【００３５】
まず、図２のフローチャートを参照して、プロジェクター１のセットアップ処理手順について説明する。まず、ユーザーによりプロジェクター１が任意の位置に設置され、電源が投入されると、プロジェクター１（ＣＰＵ２１）は、電源オンのイベントを検出する（Ｓ０１）。続いて、プロジェクター１は、２つのＧＰＳ受信機１７を用いて、ＧＰＳ衛星から発信されるＧＰＳ信号を受信し（Ｓ０２）、受信したＧＰＳ信号から自身の設置位置（以下、「セットアップ位置」と称す。）を示す位置情報を取得する（Ｓ０３）。
【００３６】
次に、プロジェクター１は、セットアップデータ記憶部２４ａを参照し、セットアップ位置と一致する位置情報の有無を判断する（Ｓ０４，判断手段）。セットアップ位置と一致する位置情報がある場合（Ｓ０５；Ｙｅｓ）、プロジェクター１は、当該位置情報に関連付けられた設定情報を読み出し（Ｓ０６）、その設定情報に基づいて自身のセットアップを行う（Ｓ０７，セットアップ手段）。つまり、プロジェクター１は、記憶されている設定情報に基づいて、自動的に台形歪補正処理、フォーカス調整、およびズーム調整等を実行し、セットアップ位置からの画像投写に最適な状態に自身をセットアップする。
【００３７】
一方、セットアップ位置と一致する位置情報がない場合（Ｓ０５；Ｎｏ）、プロジェクター１は、セットアップ位置を挟む所定の誤差内の２つの位置情報（補正可能な位置情報）が記録されているか否かを判断する（Ｓ０８，判断手段）。所定の誤差内の２つの位置情報が記録されている場合（Ｓ０９；Ｙｅｓ）、プロジェクター１は、それぞれの位置情報に関連付けられた設定情報、およびそれぞれの位置情報とセットアップ位置の位置情報との誤差に基づいて、セットアップ位置に対応する設定情報を算出する（Ｓ１０）。つまり、既に記憶されている設定情報を補正して、これをセットアップ位置における設定情報（補正設定情報）とする。そして、プロジェクター１は、この算出した設定情報に基づいて自身のセットアップを行うと共に（Ｓ１１，セットアップ手段）、セットアップ位置の位置情報と算出した設定情報とを関連付けて、セットアップデータ記憶部２４ａに記録する（Ｓ１２）。
【００３８】
例えば、セットアップデータ記憶部２４ａに、プロジェクター１のＸ座標およびＹ座標は同じで、高度がＺ１とＺ２の２種類の位置情報Ａおよび位置情報Ｂ（つまり、高度のみが異なる位置情報）が記憶されていたとする。この状態で、新たにプロジェクター１を設置した位置（セットアップ位置）の位置情報Ｃが、位置情報Ａおよび位置情報ＢとＸ座標およびＹ座標は同じで、高度がＺ３（Ｚ１＜Ｚ３＜Ｚ２）であり、位置情報Ａおよび位置情報Ｂの高度との差が所定の誤差内である場合、プロジェクター１は、位置情報Ａおよび位置情報Ｂのそれぞれと位置情報Ｃとの誤差と、位置情報Ａおよび位置情報Ｂの設定情報と、に基づいて位置情報Ｃに対応する設定情報を算出し、この設定情報に基づいてセットアップを行う。
【００３９】
これにより、プロジェクター１のセットアップ位置が、記憶した位置情報と完全に一致しない場合でも、簡単にプロジェクター１のセットアップを行うことができる。また、プロジェクター１のセットアップを、算出した設定情報（補正設定情報）に基づいて行った場合、そのセットアップ位置の位置情報と、算出した設定情報とを関連付けて記憶するため、位置情報およびこれに対応する設定情報を蓄積（学習）することができ、プロジェクター１のセットアップを自動的に行う確率を高めることができる。
【００４０】
一方、所定の誤差内の２つの位置情報が記録されていない場合（Ｓ０９；Ｎｏ）、プロジェクター１は、ユーザーによる操作（台形歪調整、フォーカス調整およびズーム調整等）に基づいて自身のセットアップを行う（Ｓ１３）。そして、プロジェクター１は、セットアップ位置の位置情報と、ユーザーの操作により設定された設定情報（台形歪補正量、フォーカス量およびズーム量等）とを関連付けて記憶する（Ｓ１４）。この場合、自動セットアップができない旨をユーザーに報知するようにするとよい（報知手段）。例えば、投写光学部１９よりスクリーンＳＣに「自動セットアップができません。手動でセットアップを行ってください」などのメッセージを投写する。これにより、ユーザーは、セットアップが自動で行われなかったため、自身が手動でセットアップをしなければならないことを容易に把握することができる。
【００４１】
なお、Ｓ１４の処理において、位置情報および設定情報の記憶は、プロジェクター１が自動で行なっても良いし、あるいは、ユーザーにより手動で行っても良い。前者の場合、プロジェクター１が、ユーザーによる台形歪調整、フォーカス調整およびズーム調整等の各種調整操作を監視し、これら調整が終了したことを検知した場合（例えば、所定時間の間、ユーザーによる操作が行われない場合）、自動的に記憶するようにすれば良い。一方、後者の場合、操作部１５やリモコン４１に専用の記憶ボタンを設け、ユーザーがこの記憶ボタンを押すことで記憶するようにすれば良い。
【００４２】
次に、図３のフローチャートを参照して、位置情報を外部端末５１に送信する処理手順について説明する（位置情報送信処理）。まず、プロジェクター１（ＣＰＵ２１）は、２つのＧＰＳ受信機１７を用いて、ＧＰＳ衛星から発信されるＧＰＳ信号を受信し（Ｓ２１、図２のＳ０２）、受信したＧＰＳ信号から自身の現在位置を示す位置情報を取得する（Ｓ２２、図２のＳ０３）。次に、プロジェクター１は、設置領域記憶部２４ｂを参照して、自身の現在位置が有効設置領域内か否かを判断する（Ｓ２３，位置判断手段）。現在位置が有効設置領域内である場合（Ｓ２４；Ｙｅｓ）、プロジェクター１は、一連の処理を終える。一方、現在位置が有効設置領域外である場合（Ｓ２４；Ｎｏ）、プロジェクター１は、外部端末５１に対して現在位置の位置情報を送信する（Ｓ２５，送信手段）。
【００４３】
なお、この位置情報送信処理は、プロジェクター１の電源投入時に実行するようにしても良いし、あるいは、プロジェクター１が稼動している間、定期的に実行するようにしても良い。
【００４４】
以上のように、本実施形態によれば、プロジェクター１のセットアップに際し、当該プロジェクター１のセットアップ位置（設置位置）に関連付けられた設定情報に基づいて、自動的にプロジェクター１のセットアップを行うことができる。つまり、一度、任意の位置でプロジェクター１の設定を行い、その位置情報および設定情報を記憶しておけば、次回、同じ位置にプロジェクター１を設置した場合には、ユーザーの手を煩わすことなく、自動的にプロジェクター１を適切な設定にセットアップすることができる。これにより、プロジェクター１のセットアップを簡単に行うことができ、これに掛かる手間を省くことができる。
【００４５】
なお、本実施形態では、２つのＧＰＳ受信機１７を、プロジェクター１の投写面側の両端に配置しているが、これはあくまで一例である。例えば、プロジェクター１の中心部にＧＰＳ受信機１７を１つ配置するようにしても良い。また、投写面側とは反対側（プロジェクター１の背面側）の中心位置に、さらにＧＰＳ受信機１７を配置するようにしても良い。つまり、プロジェクター１に合計３個のＧＰＳ受信機１７を搭載するようにしても良い。なお、ＧＰＳ受信機１７の数により、位置情報の精度が変わる。例えば、ＧＰＳ受信機１７が１つ配置されている場合は、プロジェクター１の設置位置のみ把握することができる。ＧＰＳ受信機１７が２つ配置されている場合は、プロジェクター１の設置面に対する傾きも設置情報として捉えることができる。ＧＰＳ受信機１７が３つ配置されている場合は、プロジェクター１の設置面に対する更に詳しい傾きを設置情報として捉えることができる。
【００４６】
また、本実施形態では、ＧＰＳ衛星から直接ＧＰＳ信号を受信する構成としたが、位置情報の取得に際し、基地局や測位サーバー等を利用したアシスト測位を行うようにしても良い。これにより、例えば、プロジェクター１の設置位置（設置場所）によっては、ＧＰＳ受信機１７を用いた位置情報の測定が正常にできない場合でも、正確な位置情報を取得することができるため、プロジェクター１が盗難にあった場合でも、プロジェクター１の位置を確実に把握することができる。
【００４７】
また、上記の実施形態に示したプロジェクター１の各構成要素をプログラムとして提供することが可能である。また、そのプログラムを各種記録媒体（ＣＤ−ＲＯＭ、フラッシュメモリ等）に格納して提供することも可能である。すなわち、コンピューターを、プロジェクター１の各構成要素として機能させるためのプログラム、およびそれを記録した記録媒体も、本発明の権利範囲に含まれるものである。
【００４８】
また、上記の実施形態では、プロジェクター１の表示方式として、透過型液晶表示方式を採用しているが、反射型液晶表示方式、ＣＲＴ表示方式やライトスイッチ表示方式（マイクロミラーデバイス方式）など、プロジェクター１の表示原理は問わない。また、ズーム調整およびフォーカス調整を自動調整方式を採用しているが、当然手動方式であってもよい。その他、本発明の要旨を逸脱しない範囲で、適宜変更が可能である。
【符号の説明】
【００４９】
１…プロジェクター  １７…ＧＰＳ受信機  １８…無線通信部  ２１…ＣＰＵ  ２４…フラッシュＲＯＭ  ２４ａ…セットアップデータ記憶部  ２４ｂ…設置領域記憶部
【図１】
2010243845.tif 000003
【図２】
2010243845.tif 000004
【図３】
2010243845.tif 000005